(57)【要約】【課題】本発明は、商品の販売店舗、又は商品を提供する飲食店鋪で商品の販促用に使用するポスター、チラシ、値札、メニュー等の販促物を容易に作成することが出来るサーバ装置に関するものである。【解決手段】メーカー端末と店舗端末とにネットワークを介して接続可能なサーバ装置であり、該サーバ装置は、前記メーカー端末から送信された商品識別情報、メーカー識別情報、及び文字、画像等の商品販促情報、該商品販促情報の配置を指定するレイアウト情報を受信し、商品識別情報に関連付けてメーカー情報、商品販促情報、レイアウト情報を記憶部に記憶し、前記店舗情報から送信された商品識別情報を受信することで記憶部から商品識別情報に関連付けた商品販促情報、レイアウト情報を読み出し、前記店舗端末へ送信することを特徴とする商品販促情報提供サーバ装置。【選択図】図１
2004164159.tif 000002
【特許請求の範囲】
【請求項１】
メーカー端末と店舗端末とにネットワークを介して接続可能なサーバ装置であり、該サーバ装置は、前記メーカー端末から送信された商品識別情報、メーカー識別情報、及び文字、画像等の商品販促情報、該商品販促情報の配置を指定するレイアウト情報を受信し、商品識別情報に関連付けてメーカー情報、商品販促情報、レイアウト情報を記憶部に記憶し、前記店舗情報から送信された商品識別情報を受信することで記憶部から商品識別情報に関連付けた商品販促情報、レイアウト情報を読み出し、前記店舗端末へ送信することを特徴とする商品販促情報提供サーバ装置。
【発明の詳細な説明】
【０００１】
【発明の属する技術分野】
本発明は、商品の販売店舗、又は商品を提供する飲食店鋪で商品の販促用に使用するポスター、チラシ、値札、メニュー等の販促物を容易に作成することが出来るサーバ装置に関するものである。
【０００２】
【従来の技術】
販売店舗では商品の販促物としてポスター、チラシ、値札、メニュー等が頻繁に使用される。これら販促物は商品のメーカーが印刷物を予め用意し、店舗へ配布するか、若しくは、店舗側が独自に自前で作成していた。
【０００３】
【発明が解決しようとする課題】
従来のメーカー側が配布する形態では、メーカー側が用意する画一的な販促物となるために、店舗側としてみれば他店舗との差別化がし難いとか、店舗のレイアウトによって寸法的に設置できないといったような問題点があった。また、店舗側が独自に作成する形態では、商品の画像等を入手するのが難しく、また手作りのため見栄えのするものを作成するのが困難であるといった問題点があった。さらに、近年ではメーカーが自社製品の販促物を店舗に提供する手段としてメーカーのホームページからインターネットを利用して商品の画像やロゴ画像、説明文等のテキストデータからなる販促物用の商品情報を各店舗に配信し、店舗でこれら商品商品を受信してプリンター等で出力して使用するという形態も普及し始めている。ただし、この形態であっても、あくまでメーカー毎に提供するものであるため、店舗は商品毎に各メーカーのホームページに接続しなければならず、商品点数の多い販売店ではとても煩雑な作業となる。
【０００４】
そこで本発明は、上記問題点を解消し、複数のメーカーから販促用の商品情報を集め、各店舗からは、本サーバ装置に接続するだけで、複数のメーカーの複数の商品の商品情報を入手し、自由に販促物を作成することができる販促物提供サーバ装置を提供する。
【０００５】
【課題を解決するための手段】
本発明は、メーカー端末と店舗端末とにネットワークを介して接続可能なサーバ装置であり、該サーバ装置は、前記メーカー端末から送信された商品識別情報、メーカー識別情報、及び文字、画像等の商品販促情報、該商品販促情報の配置を指定するレイアウト情報を受信し、商品識別情報に関連付けてメーカー情報、商品販促情報、レイアウト情報を記憶部に記憶し、前記店舗情報から送信された商品識別情報を受信することで記憶部から商品識別情報に関連付けた商品販促情報、レイアウト情報を読み出し、前記店舗端末へ送信することを特徴とする商品販促情報提供サーバ装置である。
【０００６】
【発明の実施の形態】
本発明を図面に示す一実施例に従い説明する。本サーバ装置１は、店舗端末１０、メーカー端末２０とにネットワークを介して接続する。図示はしないが店舗端末１０とメーカー端末２０は複数存在する。ネットワークとしては有線、専用線、無線、衛星通信等の公知のネットワークを利用できる。
【０００７】
図２に従い各装置における情報の処理、流れを説明する。サーバ装置１は記憶部に商品識別情報に関連付けてメーカー識別情報、商品販促情報、レイアウト情報を記憶している。商品識別情報とは、文字である商品名、又は数字、記号等によって商品を識別する情報のことであり商品毎に固有の情報である。記号としてはＪＡＮコード等を利用することもできる。メーカー識別情報とは、文字であるメーカー名、又は数字、記号等によってメーカーを識別する情報のことでありメーカー毎に固有の情報である。商品販促情報とは、商品の外観の画像情報、商品の説明の文字情報等である。これら画像情報、文字情報はそれぞれ別情報とすることで後述する商品販促情報の配置に自由度が増す。また、商品販促情報は一つの商品識別情報について複数個設けることができる。レイアウト情報とは前記商品販促情報の配置を指定する情報であり、出力する用紙のサイズ及び形状、画像情報及び文字情報のサイズ、配置等を予めメーカーが指定した情報である。レイアウト情報も一つの商品識別情報に対して複数設けることもできる。また、複数の商品識別情報に対してレイアウト情報を共有させることもできる。
【０００８】
次に商品販促情報提供に関する情報の流れ、処理を説明する。メーカーは、メーカー端末２０からユニバーサルリソースロケーター（ＵＲＬ）を入力してサーバ装置１に接続する。そして、商品識別情報、メーカー識別情報、商品販促情報、レイアウト情報を入力し、サーバ装置１へ送信する。これら情報を受信したサーバ装置１は、商品識別情報に関連付けてメーカー識別情報、商品販促情報、レイアウト情報を記憶部に記憶する。
【０００９】
店舗は、店舗端末１０からユニバーサルリソースロケーター（ＵＲＬ）を入力してサーバ装置１に接続する。そして、希望する商品識別情報を入力し、サーバ装置１へ送信する。商品識別情報を受信したサーバ装置は、記憶部から商品識別情報に関連付けて記憶している商品販促情報、レイアウト情報を読み出し、店舗端末１０へ送信する。これら情報を受信した店舗端末１０は、商品販促情報とレイアウト情報に基づき、販促物を画面に表示する。この時、商品識別情報をレイアウト情報に基づき画面上で拡大縮小、レイアウト変更等の編集を行うこともできる。その後、商品販促情報、レイアウト情報に基づきプリンター等の出力装置で出力する。出力した用紙を所定形状に切ることもできる。
【００１０】
【発明の効果】
本発明は、複数のメーカーから販促用の商品情報を集め、サーバ装置の記憶部に商品識別情報に関連付けて商品販促情報とレイアウト情報を記憶したため、各店舗からは、本サーバ装置に接続するだけで、複数のメーカーの複数の商品の商品情報を入手し、販促物作成に熟練していない人であっても、メーカーが用意した商品販促情報、レイアウト情報に基づき、自由に良好な販促物を作成することができる。
【図面の簡単な説明】
【図１】本発明の一実施例に係わる構成図である。
【図２】本発明の一実施例に係わる情報の処理、流れを表す図である。
【符号の説明】
１・・・サーバ装置
１０・・・店舗端末
２０・・・メーカー端末
【図１】
2004164159.tif 000003
【図２】
2004164159.tif 000004